(57)【特許請求の範囲】
【請求項１】
カード状記録媒体を挿入する挿入口と、
カード状記録媒体が搬送される搬送路と、
前記搬送路を塞ぐ位置とカード状記録媒体の挿入を許容する位置とを移動可能なローラと、
前記搬送路を塞ぐ位置まで前記ローラを付勢する付勢部材と、
カード状記録媒体の挿入を許容する位置への前記ローラの移動を阻止する阻止部材と、を有する媒体処理装置であって、
前記搬送路のうち前記ローラが付勢される側の面に、前記ローラの一部を収容する凹部が形成され、
前記ローラには、直径の大きい大径部と直径の小さい小径部とが形成されており、
前記凹部には、前記小径部と対向する位置にリブが形成されていることを特徴とする媒体処理装置。
【請求項２】
前記阻止部材は、カード状記録媒体が前記媒体処理装置内に存在する場合に、前記ローラの移動を阻止することを特徴とする請求項１記載の媒体処理装置。
【請求項３】
前記阻止部材は、前記ローラを挟んで前記凹部と対向する位置に対して進退可能に設けられ、前記凹部と対向する位置にあるとき、前記ローラの移動を阻止することを特徴とする請求項１又は２記載の媒体処理装置。
【請求項４】
前記ローラは、
前記リブが前記小径部に当接している第１の位置と、
カード状記録媒体の挿入を許容するように前記小径部と前記リブとが離間している第２の位置と、
前記小径部が前記阻止部材に当接している第３の位置と、を移動可能であることを特徴とする請求項１から３のいずれか記載の媒体処理装置。
【請求項５】
前記リブは、前記大径部と対向する位置の近傍に形成されていることを特徴とする請求項１から４のいずれか記載の媒体処理装置。
【請求項６】
前記ローラが前記第１の位置にあるとき、前記凹部と前記大径部は離間していることを特徴とする請求項４又は５記載の媒体処理装置。
【発明の詳細な説明】
【技術分野】
【０００１】
本発明は、例えば磁気カードなどの情報記録媒体を取り込んで、その情報記録媒体に対し情報の記録又は再生を行う媒体処理装置に関し、特に、そのセキュリティ性を向上させた媒体処理装置に関する。
【背景技術】
【０００２】
従来から、例えば金融機関などにおいて、キャッシュレスや個人認証などを実現するためのカードとして、磁気カードやＩＣカードが用いられている。磁気カードは、プラスチック基板表面に磁気ストライプが形成されたカードであり、ＩＣカードは、プラスチック基板内部にＩＣチップが埋設されたカードであり、これらに対する情報の記録又は再生は、磁気ヘッドやＩＣ接点を備えた媒体処理装置（主としてカードリーダ）によって行われる（例えば特許文献１参照）。
【０００３】
図８は、特許文献１に開示された磁気カードリーダ１００の外観構成及び内部構成を示す図である。特に、図８（ｂ）は、図８（ａ）に示す磁気カードリーダ１００の側断面図である。
【０００４】
図８（ａ）に示すように、磁気カードリーダ１００には、その前面にフロントカード挿入口１０１が設けられている。そして、このフロントカード挿入口１０１の上方には、透明合成樹脂材料によって製造された透明ウインド１０２が設けられている。この透明ウインド１０２は、塵埃や雨水が磁気カードリーダ１００の内部に浸入するのを防止している。また、図８（ｂ）に示すように、フロントカード挿入口１０１の奥（図８（ｂ）では右）には、搬送路に通じるメインカード挿入口１０３が設けられている。
【０００５】
ここで、磁気カードリーダ１００では、フロントカード挿入口１０１とメインカード挿入口１０３との間に、上下に移動可能な防塵ローラ１０４が配設されている（図８（ｂ）参照）。この防塵ローラ１０４は、周面がゴムローラで形成される一方で、ローラ軸がスプリング（図示せず）によって平面部１０５に付勢されている。従って、透明ウインド１０２によって防ぎきれず、フロントカード挿入口１０１を介して浸入してきた塵埃や雨水が、メインカード挿入口１０３に浸入するのを防いでいる。また、磁気カードリーダ１００内において、１枚の磁気カードに対する情報の記録又は再生が行われている際にも、防塵ローラ１０４は平面部１０５に当接しており、これにより、２枚目の磁気カードが誤ってメインカード挿入口１０３に侵入するのを防いでいる。
【０００６】
【特許文献１】特開平４−２９８８７９号公報（段落番号［００１４］，［００１５］，図１，図２）
【発明の開示】
【発明が解決しようとする課題】
【０００７】
しかしながら、磁気カードリーダ１００内で１枚の磁気カードに対する情報の記録又は再生が行われている際に、例えば故意に（無理やり）押し込まれた磁気カードが侵入するのを防ぐのは困難である。
【０００８】
すなわち、周囲がゴムローラで形成された防塵ローラ１０４は、スプリングによって平面部１０５に付勢されているのみであって、例えばフロントカード挿入口１０１から無理やり磁気カードが押し込まれた場合、防塵ローラ１０４は磁気カードの分だけ上方に浮き上がり、メインカード挿入口１０３への磁気カードの侵入を許してしまうことになる。従って、このような危険性を孕んだ状態では、磁気カードリーダ１００のセキュリティ性に欠ける。
【０００９】
本発明は、このような点に鑑みてなされたものであり、その目的は、磁気カードやＩＣカードが押し込まれた場合であっても、これらのカードが搬送路に侵入するのを防ぐことができ、ひいてはセキュリティ性を向上させることが可能な媒体処理装置を提供することにある。
【課題を解決するための手段】
【００１０】
以上のような課題を解決するために、本発明は、以下のものを提供する。
【００１１】
（１）  カード状記録媒体を挿入する挿入口と、カード状記録媒体が搬送される搬送路と、前記搬送路を塞ぐ位置とカード状記録媒体の挿入を許容する位置とを移動可能なローラと、前記搬送路を塞ぐ位置まで前記ローラを付勢する付勢部材と、カード状記録媒体の挿入を許容する位置への前記ローラの移動を阻止する阻止部材と、を有する媒体処理装置であって、前記搬送路のうち前記ローラが付勢される側の面に、前記ローラの一部を収容する凹部が形成され、前記ローラには、直径の大きい大径部と直径の小さい小径部とが形成されており、前記凹部には、前記小径部と対向する位置にリブが形成されていることを特徴とする媒体処理装置。
【００１２】
本発明によれば、搬送路を塞ぐ位置とカード状記録媒体の挿入を許容する位置とを移動可能なローラと、このローラを、搬送路を塞ぐ位置まで付勢する付勢部材と、カード状記録媒体の挿入を許容する位置へのローラの移動を阻止する阻止部材と、を有する媒体処理装置で、搬送路のうちローラが付勢される側の面に、ローラの一部を収容する凹部が形成されていることとしたので、カード状記録媒体が不必要に搬送路に侵入するのをより確実に防ぐことができる。
【００１３】
すなわち、従来の媒体処理装置（例えば図８に示す磁気カードリーダ１００）では、防塵ローラ１０４と平面部１０５の間にカード状記録媒体が無理やり押し込まれた場合、付勢されただけの防塵ローラ１０４は、カード状記録媒体の分だけ上方に浮き上がり、カード状記録媒体が搬送路に侵入するのを許す危険性があった。しかし、本発明によれば、たとえカード状記録媒体が押し込まれた場合であっても、阻止部材によってローラがカード状記録媒体の挿入を許容する位置へ移動するのを阻止することができるので、カード状記録媒体が搬送路に侵入するのを防ぐことができる。
【００１４】
特に、本発明に係る媒体処理装置は、単に、阻止部材を用いて、カード状記録媒体の挿入を許容する位置へのローラの移動を阻止するものではない。より詳細に説明すると、従来の磁気カードリーダ１００においても、阻止部材を設けてローラの移動を阻止することは考えられる。しかし、これでは挿入されたカード状記録媒体は、防塵ローラ１０４の下方において周面と凡そ平行に当接するので、無理やり押し込まれると搬送路に入ってしまう虞があった。この点、本発明によれば、搬送路のうちローラが付勢される側の面に、ローラの一部が埋め込まれた状態（すなわちローラの一部が凹部に収容された状態）でローラの移動が阻止されているので、挿入されたカード状記録媒体は、ローラの周面と凡そ垂直に当接することになる。従って、カード状記録媒体が搬送路に侵入するのをより確実に防ぐことができ、ひいては媒体処理装置のセキュリティ性を向上させることができる。
【００１５】
また、本発明には、搬送路を塞ぐ位置までローラを付勢する付勢部材が設けられているので、カード状記録媒体が未だ搬送路に挿入されていない待機状態のとき、塵埃や雨水の浸入を防ぐ防塵機能（防塵シャッタ機能）を発揮することができる。
【００１６】
なお、本発明において、阻止部材が機能するタイミングの如何は問わない。例えば、実際にカード状記録媒体が搬送路に挿入されているときに阻止部材が機能する場合には、２枚目のカード状記録媒体が搬送路に挿入されるのを防ぐことができるし、カード状記録媒体が未だ搬送路に挿入されていないときに阻止部材が機能する場合には、例えば取引時間外にカード状記録媒体が不法に（悪意により）搬送路に挿入されるのを防ぐことができる。
【００１７】
また、本発明によれば、上述したローラには小径部と大半部とが形成されているとともに、上述した凹部には、この小径部と対向する位置にリブが形成されていることとしたので、カード状記録媒体が搬送路に侵入するのをより確実に防ぐことができる。
【００１８】
すなわち、例えばカード状記録媒体が０．２ｍｍ程度のＰＥＴ（ポリエチレンテレフタラート）カードである場合には、たとえ阻止部材と凹部によってローラの移動を阻止していたとしても、ＰＥＴカードがローラに当接した後、折れ曲がってローラと凹部の間をすり抜け、搬送路に侵入する危険性がある。しかし、本発明に係る媒体処理装置によれば、ローラに形成された大径部と、凹部に形成されたリブとが存在するので、ＰＥＴカードがローラと凹部の間をすり抜けるためには、ＰＥＴカードが挿入方向と垂直な方向に波打った形状になっていなければならないが、ＰＥＴカードをこのような形状にするのは実際問題として困難である。従って、ＰＥＴカードがローラと凹部の間をすり抜けるのを防止することができ、ひいてはカード状記録媒体が搬送路に侵入するのをより確実に防ぐことができる。
【００１９】
加えて、本発明は、阻止部材が有するローラの移動阻止機能の信頼性を高めるという特有の効果も奏している。より詳細に説明すると、従来の防塵ローラ１０４のように大径部と小径部の区別がないローラでは、媒体処理装置の長年の使用によりローラの表面に粘着性ゴミが付着すると、その粘着性ゴミの分だけローラの外径が大きくなり、ローラの移動阻止機構との隙間がなくなってしまい、結果として、ローラの移動阻止機能が上手く機能しない場合がある。しかし、本発明のように、大径部と小径部の区別があるローラによれば、カード状記録媒体が摺動するのはローラの大径部であって、ローラの小径部にはカード状記録媒体は摺動しない。従って、例えば阻止部材を進退させる位置をこの小径部近傍にすれば、大径部に付着した粘着性ゴミの存在によって、阻止部材が進入できないこともなく（ローラの移動阻止機能が失われることもなく）、ひいてはカード状記録媒体の挿入を許容する位置へのローラの移動をより確実に阻止することができる。その結果、阻止部材が有するローラの移動阻止機能の信頼性を高めることができる。
【００２０】
（２）  前記阻止部材は、カード状記録媒体が前記媒体処理装置内に存在する場合に、前記ローラの移動を阻止することを特徴とする媒体処理装置。
【００２１】
本発明によれば、カード状記録媒体が媒体処理装置内に存在する場合に、上述した阻止部材によってローラの移動が阻止されるので、２枚目のカード状記録媒体が搬送路に挿入されるのを防ぐことができる。
【００２２】
（３）  前記阻止部材は、前記ローラを挟んで前記凹部と対向する位置に対して進退可能に設けられ、前記凹部と対向する位置にあるとき、前記ローラの移動を阻止することを特徴とする媒体処理装置。
【００２３】
本発明によれば、ローラを挟んで凹部と対向する位置に対して阻止部材が進退可能に設けられ、この阻止部材が凹部と対向する位置にあるとき、ローラの移動が阻止されることとしたので、簡易な機構によって、カード状記録媒体の挿入を許容する位置へローラが移動するのをより確実に防ぐことができる。
【００２５】
（４）  前記ローラは、前記リブが前記小径部に当接している第１の位置と、カード状記録媒体の挿入を許容するように前記小径部と前記リブとが離間している第２の位置と、前記小径部が前記阻止部材に当接している第３の位置と、を移動可能であることを特徴とする媒体処理装置。
【００２６】
本発明によれば、リブが小径部に当接している第１の位置と、カード状記録媒体の挿入を許容するように小径部とリブとが離間している第２の位置と、小径部が阻止部材に当接している第３の位置と、をローラが移動可能であることとしたので、ローラが第１の位置にあるときには、カード状記録媒体が未だ搬送路に挿入されていない待機状態において防塵対策を講じることができ、ローラが第２の位置にあるときは、カード状記録媒体の挿入を許容することができる（カード状記録媒体の挿入によってローラは押し上げられる又は押し下げられる）。そして、カード状記録媒体が搬送路に挿入されると、付勢部材によってローラは第１の位置に戻り、その後阻止部材が動作する。この状態で２枚目のカード状記録媒体が挿入されようとすると、ローラは第３の位置に移動するが、阻止部材によりそれ以上移動することがないため、２枚目のカード状記録媒体の挿入が阻止されることになる。すなわち、ローラが第３の位置にあるときは、１枚目のカード状記録媒体が媒体処理装置内に挿入されている状態で、２枚目のカード状記録媒体が搬送路に挿入されるのを防いでいる。このように、第１の位置，第２の位置及び第３の位置を移動するローラの一連の動作によって、カード状記録媒体の不正侵入を防ぎつつ、スムーズかつ無駄のない媒体取込及び媒体処理を実現することができる。
【００２７】
なお、本発明では、カード状記録媒体が未だ搬送路に挿入されていない待機状態（上述した第１の位置の状態）において、ローラの小径部と凹部に形成されたリブとが当接するように構成しているので、ローラがカード挿入口を塞ぐ位置（第１の位置）が、リブの存在によって影響を受けることはなく（リブがあることによって第１の位置が上下することはなく）、ローラと凹部との当接状態を一定に保つこと（第１の位置を一定に保つこと）ができる。
【００２８】
（５）  前記リブは、前記大径部と対向する位置の近傍に形成されていることを特徴とする媒体処理装置。
【００２９】
本発明によれば、上述したリブは、大径部と対向する位置の近傍に形成されていることとしたので、カード状記録媒体がローラと凹部の間をすり抜けるためには、カード状記録媒体の挿入方向と垂直な方向に、相当大きな勾配の波打った形状（急峻な波形状）になっていなければならず、これは実際問題として非常に困難である。従って、たとえカード状記録媒体がカード挿入口から無理やり挿入されたとしても、それがローラと凹部の間をすり抜けるのは難しく、結果的に搬送路に侵入するのを防ぐことができる。また、本発明によれば、少ない数のリブでカード状記録媒体の不正侵入を効果的に防ぐことができる。
【００３０】
（６）  前記ローラが前記第１の位置にあるとき、前記凹部と前記大径部は離間していることを特徴とする媒体処理装置。
【００３１】
本発明によれば、ローラが第１の位置にあるとき、凹部と大径部は離間していることとしたので（好ましくは、０．３ｍｍ以上、以上、装置寿命及び使用環境により適宜決定）、大径部に少々のゴミがついた場合であっても、ローラの回転機能が失われるのを防ぐことができ、また、ローラの第１の位置を一定とすることができる。
【発明の効果】
【００３２】
以上説明したように、本発明によれば、不必要にカード状記録媒体が搬送路に侵入するのを防ぐことができ、ひいては媒体処理装置のセキュリティ性を向上させることができる。特に、大径部と小径部とに区別されたローラによって、その大径部にゴミが付着した場合であっても、その小径部に阻止部材を適切に進入させることができ、ひいては阻止部材が有するローラの移動阻止機能の信頼性を高めることができる。なお、塵埃や雨水の浸入を防ぎ、防塵機能を発揮することもできる。
【発明を実施するための最良の形態】
【００３３】
以下、本発明を実施するための最良の形態について、図面を参照しながら説明する。
【００３４】
［機械構成］
図１は、本発明の実施の形態に係るカードリーダ１の機械構成を示す図である。ただし、図１は、カードリーダ１をある程度分解して、裏から見たときの機械構成を示している。
【００３５】
図１において、カードリーダ１は、カードが挿入されるカード挿入口１１と、カードが搬送される搬送路（図１では図示しないが、カード挿入口１１から取入れられたカードを、カードリーダ１内部へ搬送するための通路）と、ローラ１２と、付勢板バネ１３と、ロックレバー１５と、を有している。
【００３６】
ローラ１２は、搬送路を塞ぐ位置とカードの挿入を許容する位置とを移動可能であって、付勢板バネ１３によって、搬送路を塞ぐ位置まで付勢されている。すなわち、シャッター機構の小型化（装置全体の小型化），搬送路の防塵，カード処理中における２枚目の挿入防止などを目的として、カード挿入口１１付近にノーマルクローズ（カードが挿入されるのを待機している通常状態では、カード挿入口１１を閉じている）のローラ１２が設けられており、このノーマルクローズの機能は、付勢板バネ１３によって、カード挿入口１１を閉じる方向にローラ１２（例えばローラ支軸）が付勢されることにより実現している。
【００３７】
また、ロックレバー１５は、カードの挿入を許容する位置へのローラ１２の移動を阻止するものであって、ソレノイドユニット１４によって（例えばラッチソレノイドで）駆動される。このロックレバー１５の機械構成について図２を用いて詳述する。
【００３８】
図２は、図１に示すカードリーダ１において、ロックレバー１５の機械構成を説明するための図である。特に、図２（ａ）では、ロックレバー１５を直視できるようにするために、ソレノイドユニット１４を透明にしてある。また、上述したように、ロックレバー１５は、ソレノイドユニット１４によって図中の矢印のように移動可能となっている。一方、図２（ｂ）では、説明の便宜上、ローラ１２の一部を透明にしてある。
【００３９】
図２（ａ）において、ロックレバー１５は、ローラ１２の下面（図２でいえば上面）にせり出しており、ローラ１２の鉛直下方向（図２（ａ）でいえば鉛直上方向）への移動を規制する。これにより、ローラ１２が搬送路を塞いだ状態でロックされ、２枚目のカード挿入を防止することができるようになっている。一方、図２（ｂ）では、説明の便宜上、ローラ１２の一部を透明にしてある。
【００４０】
一方で、カード処理中以外は、ロックレバー１５は退避位置にあり、ローラ１２の鉛直方向（カードの厚さ方向）への移動が規制されない。従って、カード未挿入状態では、挿入するカードによってローラ１２が鉛直下方（図２（ａ）でいえば鉛直上方）に移動し、これによりカードリーダ１内にカードが取り込まれることになる。
【００４１】
ここで、ローラ１２の上側（図２（ａ）でいえば下側）には、搬送路の一部となる上ベゼル２０に凹部１７が形成されている。すなわち、図２（ｂ）に示すように、搬送路のうちローラ１２が付勢される側の面（上ベゼル２０の一部の面）には、ローラの一部を収容する凹部１７が形成されている。そして、上述したロックレバー１５は、ローラ１２を挟んでこの凹部１７と対向する位置に対して進退可能に設けられており、この凹部１７と対向する位置にあるとき、ローラ１２の移動を阻止することになる。
【００４２】
従って、ロックレバー１５が図２（ａ）に示す位置にせり出しているとき（凹部１７と対向する位置にあるとき）、上ベゼル２０に形成された凹部１７にローラ１２が埋め込まれた状態でローラ１２の移動が阻止されることになるので、挿入されたカードは、ローラ１２の周面と凡そ垂直に当接する。その結果、カードが無理やり押し込まれても搬送路に入ってしまう虞は少ない。従って、カードが搬送路に進入するのをより確実に防ぐことができ、ひいてはカードリーダ１のセキュリティ性を向上させることができる。特に、カードが既にカードリーダ１内に存在する場合において、簡易な構成によってローラ１２の移動を阻止することによって、２枚目のカードが搬送路に挿入されるのを防ぐことができる。
【００４３】
また、上述したようにノーマルクローズの状態では、ローラ１２は付勢板バネ１３によって付勢され、ローラ１２の一部が凹部１７に収容されていることから、塵埃や雨水の浸入を防ぐ防塵機能を発揮することができる。
【００４４】
一方で、図２（ａ）に示すように、ローラ１２は、直径の大きい大径部１２ａ〜１２ｃと、直径の小さい小径部１２ｄとから形成されている。また、図２（ｂ）に示すように、凹部１７には、小径部１２ｄと対向する位置にリブ１６が形成されている（リブ１６の配置態様については、図３を用いて詳述する）。なお、リブ１６の形状は、図示のように凹部の形状に沿うものに限られず、ローラ１２の大径部に接するようなものであればよい。
【００４５】
従って、ロックレバー１５と凹部１７によりローラ１２の移動を阻止している場合に、カードの挿入方向と垂直な方向に波打った形状になっていなければ、カードがローラ１２と凹部１７の間をすり抜けることができないようにすることができる。そして、カードをこのような形状にするのは実際問題として困難である。従って、カードがローラ１２と凹部１７の間をすり抜けるのを防止することができ、ひいてはカードが搬送路に侵入するのをより確実に防ぐことができる。なお、コスト削減及び部品精度向上の観点から、大径部１２ａ〜１２ｃは同一部品となっている。
【００４６】
また、図２（ａ）に示すように大径部１２ａ〜１２ｃと小径部１２ｄとから形成されたローラ１２を用いることで、ロックレバー１５によるローラ１２の移動阻止機能の信頼性を高めることが可能になる。ローラ１２の移動阻止機能の信頼性向上について、図３を用いて詳述する。
【００４７】
図３は、図１に示すカードリーダ１において、ローラ１２，ロックレバー１５，リブ１６（１６ａ〜１６ｃ）の配置関係を説明するための図である。特に、図３は、カード挿入口１１からその内部を見たときの概略図となっている。
【００４８】
図３に示すように、ローラ１２には、大径部１２ａ〜１２ｃと小径部１２ｄとが形成されており、このローラ１２（図示しないローラ支軸）は、付勢板バネ（図１参照）によって、図３中の上方向に付勢されている。また、ロックレバー１５は、大径部１２ａと大径部１２ｂの間にその一部が、大径部１２ｂと大径部１２ｃの間に他の一部がせり出されるようになっている。さらに、凹部１７（図３では点線で示す）に形成されたリブ１６ａ及び１６ｂは、大径部１２ｂと大径部１２ｃの間において、小径部１２ｄと対向する位置に配置されているとともに、凹部１７に形成されたリブ１６ｃ及び１６ｄは、大径部１２ａと大径部１２ｂの間において、小径部１２ｄと対向する位置に配置されている。
【００４９】
ここで、ロックレバー１５とローラ１２の小径部１２ｄとのクリアランスはＨ１となっている。本実施形態では、これを０．２ｍｍとしている。従って、ロックレバー１５が動作する際、小径部１２ｄとのクリアランスを十分に保つことができ（動作マージンを確保することができ）、ひいてはローラ１２の移動阻止機能の信頼性を向上させることができる。
【００５０】
この点、大径部１２ａ〜１２ｃと小径部１２ｄの区別がないローラでは、ローラの移動阻止機能が失われる虞があった。より具体的に説明すると、大径部１２ａ〜１２ｃと小径部１２ｄの区別がないローラを使用する場合、ローラとロックレバーとのクリアランスを０．１ｍｍ以内に抑える必要がある。仮にクリアランスを０．２ｍｍにした場合には、１枚のカードがカードリーダ内に存在していても、例えば厚さ０．２ｍｍ前後のＰＥＴカードが不必要に挿入される虞があるからである。従って、ローラとロックレバーとのクリアランスは、例えば０．０５ｍｍ程度にする必要がある。しかし、この程度のクリアランスにするとなると、部品精度を高くする必要があり、組み立て・調整作業も困難になり、結果的に製造コストが上昇してしまう。また、市場ではカードリーダのメンテナンス（クリーニング）を行う頻度は低く、カードに付着している粘着性ゴミ（汚れ）がローラに転写してしまい（ローラは常時鉛直方向に付勢されているため、カードがローラに摺動するとき、汚れが転写し易いのである）、ローラに転写した粘着性ゴミの厚さが０．０５ｍｍ以上となれば、ロックレバーがロック位置に動作できなくなり、シャッターエラーが発生する。
【００５１】
このように、大径部１２ａ〜１２ｃと小径部１２ｄの区別がないローラでは、ローラへのゴミ付着に対するマージンがほとんどないため、ローラの移動阻止機能が失われる虞があったが、本発明に係るカードリーダ１によれば、ローラ１２に大径部１２ａ〜１２ｃと小径部１２ｄが形成されているので、カードが摺動するのはローラ１２の大径部１２ａ〜１２ｃとなり、ローラ１２の小径部１２ｄにはカードは摺動しないことから、小径部１２ｄへの粘着性ゴミの付着がほとんどないため、ロックレバー１５が動作する際の小径部１２ｄとのクリアランスＨ１を確保するとともに、このクリアランスＨ１を長期間保つことができる。その結果、ローラ１２の移動阻止機能の信頼性を向上させることができる。
【００５２】
また、図３に示すように、ローラ１２の小径部１２ｄがリブ１６ａ〜１６ｄに当接しているとき、凹部１７と大径部１２ａ〜１２ｃは離間している（度当て面を逃がしている）。すなわち、クリアランスＨ２が発生している。本実施形態では、これを０．２〜０．３ｍｍとしている。従って、大径部１２ａ〜１２ｃに多少のゴミが付着した場合であっても、ローラの回転機能が失われるのを防ぐことができる（ローラ１２への汚れ転写マージンを大きくすることができる）。なお、リブ１６ａ〜１６ｄをローラ１２の小径部１２ｄに当接させることで、ローラ１２の鉛直上下方向の移動範囲を一定にすることができる（小径部１２ｄには汚れが付着し難いためである）。また、ローラ１２の度当て面として、幅が大きな度当て面を形成するのではなく、幅が小さなリブを複数（リブ１６ａ〜１６ｄ）形成することとしたので、仮に、小径部１２ｄにゴミが転写した場合であっても、その悪影響を最小限に抑えることが可能である。
【００５３】
さらに、図３に示すリブ１６ａ〜１６ｄは、各々の高さが約１．０ｍｍ程度であるとともに、大径部１２ａ〜１２ｃと対向する位置の近傍に形成されている。より具体的には、リブ１６ａは大径部１２ｃと対向する位置の近傍に、リブ１６ｂ及び１６ｃは大径部１２ｂと対向する位置の近傍に、リブ１６ｄは大径部１２ａと対向する位置の近傍に、それぞれ形成されている。従って、ロックレバー１５と凹部１７によりローラ１２の移動を阻止している場合に、カードの挿入方向と垂直な方向に、（リブ１６ａ〜１６ｄと接触する付近で）急峻な波形状になっていなければ、カードがローラ１２と凹部１７の間をすり抜けることができないようにすることができる。そして、カードをこのような形状にするのは、実際問題として非常に困難である。従って、カードがローラ１２と凹部１７の間をすり抜けるのを防止することができ、ひいてはカードが搬送路に侵入するのをより確実に防ぐことができる。
【００５４】
［機械動作］
次に、図３及び図４を用いて、ローラ１２の移動動作について詳述する。図４は、図１に示すカードリーダ１におけるローラ１２の移動動作を説明するための説明図である。
【００５５】
まず、図３に示すように、ローラ１２は、リブ１６ａ〜１６ｄが小径部１２ｄに当接している第１の位置にあるとする。このとき、ロックレバー１５は退避位置にあるが、図示のように、ローラ１２はカード挿入口１１を塞ぐ位置にある。従って、カードが未だ搬送路に挿入されていない待機状態では、防塵対策を講じることが可能となっている。
【００５６】
次に、カードがカード挿入口１１から挿入されると、ローラ１２は、カードの挿入を許容するように小径部１２ｄとリブ１６ａ〜１６ｄが離間している第２の位置に移動する（図４（ａ）参照）。すなわち、カードの挿入によって、ローラ１２は押し下げられることになる。ただし、図４（ａ）では、説明の便宜上、カード挿入口１１全体を開くこととしているが、実際は、カードの挿入を可能とする程度の幅が開けば足りる。
【００５７】
そして、カードが搬送路に挿入された後、付勢板バネ１３によってローラ１２は第１の位置に戻された後（図３参照）、ソレノイドユニット１４によってロックレバー１５がロック位置に動作する。これにより、カードの挿入を許容する位置へローラが移動するのが阻止されることになる。
【００５８】
例えば、無理やり２枚目のカードをカード挿入口１１に挿入した場合、ローラ１２はクリアランスＨ１（図３参照）だけ鉛直下方に移動するが、それ以上は、図４（ｂ）に示すように小径部１２ｄがロックレバー１５に当接することになるので、２枚目のカードが搬送路に挿入されることはない。すなわち、ローラ１２が図４（ｂ）に示す第３の位置にあるときは、１枚目のカードがカードリーダ１内に挿入されている状態で、２枚目のカードが搬送路に挿入されるのを防いでいる。
【００５９】
このように、第１の位置，第２の位置及び第３の位置を移動するローラ１２の一連の動作によって、カードの不正侵入を防ぎつつ、スムーズかつ無駄のないカード取込及びカード処理を実現することができる。
【００６０】
［実施形態の効果］
以上説明したように、本実施形態に係るカードリーダ１によれば、ローラ１２とロックレバー１５のクリアランスＨ１を拡大して動作信頼性を向上できる。また、クリアランスＨ１の設定に余裕ができることで、各部品の要求精度を低くでき、かつ、組立・調整作業も容易となることから、コスト的に有利になる。また、上ベゼル２０の凹部１７において、ローラ１２の大径部１２ａ〜１２ｃに対応した箇所を大きく逃がすことで、汚れ転写に対するマージンを広げ、メンテナンス（クリーニング）のサイクルを長くできる。また、上ベゼル２０の凹部１７におけるローラ１２の度当て面を、ローラ１２の小径部１２ｄに対応した箇所に設けることとしたので、ローラ１２の鉛直上下方向の位置を一定にすることができ、更には、度当て面をリブ形状（リブ１６ａ〜１６ｄ）としたので、仮に小径部１２ｄに汚れが転写しても、その悪影響を最小限に抑えることができる。
【００６１】
［変形例］
図５は、本発明の他の実施の形態に係るカードリーダ１Ａにおいて、ローラ１２，ロックレバー１５の配置関係を説明するための図である。特に、図５では、図３と異なり、凹部１７にリブ１６ａ〜１６ｄが形成されておらず、かつ、大径部１２ａ〜１２ｃと小径部１２ｄの区別がないローラ１２が用いられている。このようなカードリーダ１Ａによっても、ローラ１２の一部が凹部１７に収容され、搬送路のうちローラ１２が付勢される側の面にローラ１２が埋め込まれた状態でローラ１２の移動が阻止されることには変わりないので、カードが搬送路に侵入するのをより確実に防ぐことができ、ひいてはカードリーダ１のセキュリティ性を向上させることができる。
【００６２】
特に、図５に示すカードリーダ１Ａでは、ローラ１２が搬送路を塞ぐ位置につき、ローラ１２の付勢方向における一部（図中上部）が凹部１７に当接する一方で、ローラ１２の反対側の一部（図中下部）が搬送路の搬送面の下部に収納されている。すなわち、従来技術は、図８に示すように、搬送路の上方にローラが設けられ、このローラが搬送方向に付勢されることによって、カード状記録媒体の挿入口を塞ぐ構成であることから、ローラの一部が搬送路の搬送面よりも図中下方に位置することはない。それに対し、図５に示すようなカードリーダ１Ａによれば、ローラ１２の上部及び下部（一部）ともに、凹部１７及び搬送面の下方に収納され、ローラ１２の中央部分付近が、挿入されようとするカード状記録媒体に当たるので、搬送路をより確実に塞ぐことができる。以上説明したような構成は、図３に示すカードリーダ１も具備している。
【００６３】
図６は、図５に示すカードリーダ１Ａにおけるローラ１２の移動動作を説明するための説明図である。図４の説明図と同様に、図６（ａ）は、ローラ１２が第２の位置にあるときを示しており、図６（ｂ）は、ローラ１２が第３の位置にあるときを示している。
【００６４】
従って、カードリーダ１Ａにおいても、第１の位置（図５参照），第２の位置（図６（ａ）参照）及び第３の位置（図６（ｂ）参照）を移動するローラ１２の一連の動作によって、カードの不正侵入を防ぎつつ、スムーズかつ無駄のないカード取込及びカード処理を実現することができる。
【００６５】
図７は、本発明の他の実施の形態に係るカードリーダ１Ｂ〜１Ｅにおいて、ローラ１２，ロックレバー１５及びリブ１６ａ〜１６ｄの配置関係を説明するための図である。
【００６６】
図７（ａ）に示すカードリーダ１Ｂのように、ロックレバー１５を幅の大きな板金としてもよい。この場合、大径部１２ｂは除去する必要がある。ただし、ロックレバー１５を幅の大きな板金とした場合、総重量が増えてしまってロック動作が鈍くなる虞がある。そのため、好ましくは、図２（ａ）に示すように大径部１２ｂ近傍をくり抜いたコの字型のロックレバー１５を用いるべきである。
【００６７】
図７（ｂ）に示すカードリーダ１Ｃのように、リブの数を減らして、リブ１６ｅ及びリブ１６ｆのみにするとともに、大径部１２ａと大径部１２ｂの中間にリブ１６ｆを、大径部１２ｂと大径部１２ｃの中間にリブ１６ｅを配置してもよい。ただし、リブを大径部１２ａ〜１２ｃ近傍に配置しない場合には、ローラ１２と凹部１７の間をすり抜け易くなる虞がある。そのため、好ましくは、図３に示すように、リブを大径部１２ａ〜１２ｃ近傍に配置すべきである。
【００６８】
図７（ｃ）に示すカードリーダ１Ｄのように、リブを１個にして、リブ１６ｇのみにすることとしてもよい。ただし、１個のリブｇのみではローラ１２と当接する際にバランスが悪くなる。そのため、好ましくは、図３に示すようにリブを複数個対称に配置すべきである。
【００６９】
図７（ｄ）に示すカードリーダ１Ｅのように、幅が大きなリブ１６ｈを用いることとしてもよい。ただし、幅が大きなリブ１６ｈを用いた場合には、仮に小径部１２ｄにゴミが転写した場合には、ローラ１２がリブ１６ｈと当接する際に傾いてしまうなど、それによって悪影響を受けてしまう。そのため、好ましくは、図３に示すように、幅が小さなリブを複数（リブ１６ａ〜１６ｄ）形成するべきである。これにより、万が一小径部１２ｄにゴミが転写した場合であっても、その悪影響を最小限に抑えることができる。
【産業上の利用可能性】
【００７０】
本発明に係る媒体処理装置は、情報記録媒体が押し込まれた場合であっても、これが搬送路に侵入するのを防ぐことができ、ひいてはセキュリティ性を向上させることが可能なものとして有用である。
【図面の簡単な説明】
【００７１】
【図１】本発明の実施の形態に係るカードリーダの機械構成を示す図である。
【図２】図１に示すカードリーダにおいて、ロックレバーの機械構成を説明するための図である。
【図３】図１に示すカードリーダにおいて、ローラ，ロックレバー，リブの配置関係を説明するための図である。
【図４】図１に示すカードリーダにおけるローラの移動動作を説明するための説明図である。
【図５】本発明の他の実施の形態に係るカードリーダにおいて、ローラ，ロックレバーの配置関係を説明するための図である
【図６】図５に示すカードリーダにおけるローラの移動動作を説明するための説明図である。
【図７】本発明の他の実施の形態に係るカードリーダにおいて、ローラ，ロックレバー及びリブの配置関係を説明するための図である。
【図８】特許文献１に開示された磁気カードリーダの外観構成及び内部構成を示す図である。
【符号の説明】
【００７２】
１  カードリーダ
１１  カード挿入口
１２  ローラ
１３  付勢板バネ
１４  ソレノイドユニット
１５  ロックレバー
１６  リブ
１７  凹部
【図１】
0004843769.tif 000002
【図２】
0004843769.tif 000003
【図８】
0004843769.tif 000004
【図３】
0004843769.tif 000005
【図４】
0004843769.tif 000006
【図５】
0004843769.tif 000007
【図６】
0004843769.tif 000008
【図７】
0004843769.tif 000009